(57)【特許請求の範囲】
【請求項１】
グリップケース内にプッシュバーが前後方向に移動可能に配設され、グリップケースに移動可能に取り付けられたトリガを操作することによりプッシュバーが前方に移動する外科用操作ハンドルにおいて、
グリップケースの先端開口に筒体が配設され、筒体とプッシュバーとの間に介挿されたリターンスプリングによって、プッシュバーが後方へと付勢され、
前記筒体は、グリップケースの内部に配置される基部と、グリップケースの外部に配置される外部連結部と、基部と外部連結部との間に形成される脆弱部とを備えており、外部連結部を基部に対して捻ることにより、該脆弱部において筒体は破断可能となっており、該破断された筒体から前記リターンスプリングが取り出し可能となっていることを特徴とする外科用操作ハンドル分解構造。
【請求項２】
前記基部は、グリップケースに対して回転可能に配設されており、前記基部のグリップケースには、弾性変形可能な弾性片が形成されており、該弾性片は、前記基部に係合可能となることを特徴とする請求項１記載の外科用操作ハンドル分解構造。
【請求項３】
前記基部の前面側には、前記グリップケースの前記先端開口の外周部に形成された複数のスリットに連通可能となった複数の治具挿入孔が形成されており、該スリット及び治具挿入孔に、治具に形成された突起が挿入可能となっていることを特徴とする請求項１または２記載の外科用操作ハンドル分解構造。
【請求項４】
プッシュバーには、その移動方向に沿ってラチェット歯が形成されており、グリップケース内にはラチェット部材が配設されて、該ラチェット部材の頭部中央部がグリップケースに軸着されており、該ラチェット部材の頭部の先端は山形形状をなして、その両斜面にそれぞれプッシュバーのラチェット歯に噛み合うラチェット歯が形成されており、ラチェット部材にはさらにその頭部から反先端方向に伸びる板バネ部が形成されて、該グリップケースには、前記軸着部を中心としたラチェット部材の板バネ部の回動範囲を規制する規制部が形成されていることを特徴とする請求項１ないし３のいずれか１項に記載の外科用操作ハンドル分解構造。
【発明の詳細な説明】
【０００１】
【発明の属する技術分野】
本発明は、外科治療において使用される外科用器具などに用いられ、操作者が操作するための外科用操作ハンドルにおける分解構造に関する。
【０００２】
【従来の技術】
例えば、内視鏡手術において、腹部に小さな切開を施し、その切開口に体内と体外とのガイドとなる細長いチューブやカニューレなどの医療用具を挿入し、それらを通して外科用器具を挿通させ、この外科用器具によって、例えば、体内の気管、血管、ダクト、それ以外の身体組織にクリップを付与したり、または、切断及び縫合を行ったりすることが行われている。
【０００３】
この種の外科用器具は、ディスポーザブルと再利用可能なリユースの２つのタイプがあり、前者のディスポーザブルの場合には、１人の患者に使用した後は、再利用せずに廃棄する必要がある。
【０００４】
【発明が解決しようとする課題】
しかしながら、前述したような従来のディスポーザブルの外科用器具は、金属製部品とプラスチック部品とを分別して廃棄することを前提とした構造ではないために、外科用器具から金属製部品を分別しようとすると、多大な手間と時間を要してしまう問題などがあり、殆ど一体化のまま廃棄されている現状がある。そのため、一体化のまま焼却等の廃棄処理を行うために、その処理コストが嵩むといった問題などがある。
【０００５】
本発明は、かかる従来の課題に鑑みなされたもので、使用後、簡単に分別処理することができる外科用操作ハンドル分解構造を提供することをその目的とする。
【０００６】
【課題を解決するための手段】
前述した目的を達成するために、請求項１記載の発明は、グリップケース内にプッシュバーが前後方向に移動可能に配設され、グリップケースに移動可能に取り付けられたトリガを操作することによりプッシュバーが前方に移動する外科用操作ハンドルにおいて、
グリップケースの先端開口に筒体が配設され、筒体とプッシュバーとの間に介挿されたリターンスプリングによって、プッシュバーが後方へと付勢され、
前記筒体は、グリップケースの内部に配置される基部と、グリップケースの外部に配置される外部連結部と、基部と外部連結部との間に形成される脆弱部とを備えており、外部連結部を基部に対して捻ることにより、該脆弱部において筒体は破断可能となっており、該破断された筒体から前記リターンスプリングが取り出し可能となっていることを特徴とする。
【０００７】
使用後は、筒体の外部連結部を基部に対して捻って、筒体を破断させることにより、通常、金属製であるリターンスプリングをグリップケースから簡単に取り出すことができ、リターンスプリングと他の部品とを分別処理することができる。
【０００８】
請求項２記載の発明は、請求項１記載の前記基部が、グリップケースに対して回転可能に配設されており、前記基部のグリップケースには、弾性変形可能な弾性片が形成されており、該弾性片は、前記基部に係合可能となることを特徴とする。グリップケースに形成された弾性片をグリップケース内部へと押し込んで、基部と係合させることにより、筒体の基部のグリップケースに対する回転を阻止する。こうして、外部連結部を回転させることにより、外部連結部を基部に対して捻ることができる。
【０００９】
請求項３記載の発明は、請求項１記載の前記基部の前面側に、前記グリップケースの前記先端開口の外周部に形成された複数のスリットに連通可能となった複数の治具挿入孔が形成されており、該スリット及び治具挿入孔に、治具に形成された突起が挿入可能となっていることを特徴とする。治具の突起を、グリップケースのスリット及び基部の治具挿通穴に差し込んで、治具を基部と係合させることにより、筒体の基部のグリップケースに対する回転を阻止する。こうして、外部連結部を回転させることにより、外部連結部を基部に対して捻ることができる。
【００１０】
請求項４記載の発明は、請求項１ないし３のいずれか１項に記載のプッシュバーに、その移動方向に沿ってラチェット歯が形成されており、グリップケース内にはラチェット部材が配設されて、該ラチェット部材の頭部中央部がグリップケースに軸着されており、該ラチェット部材の頭部の先端は山形形状をなして、その両斜面にそれぞれプッシュバーのラチェット歯に噛み合うラチェット歯が形成されており、ラチェット部材にはさらにその頭部から反先端方向に伸びる板バネ部が形成されて、該グリップケースには、前記軸着部を中心としたラチェット部材の板バネ部の回動範囲を規制する規制部が形成されていることを特徴とする。
【００１１】
このプッシュバーの移動に伴い、プッシュバーのラチェット歯が移動すると、ラチェット部材の頭部が、枢着点を中心として回転して、その頭部先端がプッシュバーの移動方向へと傾き、頭部先端の両斜面の一方に形成されたラチェット歯がプッシュバーのラチェット歯に噛み合う。このとき、板バネ部の回動範囲が規制部によって規制されているために、板バネ部が曲がり、板バネ部によって頭部先端のラチェット歯は、プッシュバーのラチェット歯に噛み合う方向に付勢される。この状態では、ラチェット部材の頭部は、プッシュバーの移動中の方向と反対方向への移動を許容するように逃げることができないために、このようなプッシュバーの反対方向への移動は禁止される。こうして、プッシュバーは、そのラチェット歯がラチェット部材のラチェット歯を完全に通過するまで、移動中の方向にのみ移動する。
【００１２】
次に、プッシュバーが前記移動方向と反対方向に移動すると、ラチェット部材の頭部が先と反対方向に回転して、その頭部先端がプッシュバーの移動方向へと傾き、頭部先端の両斜面の他方に形成されたラチェット歯がプッシュバーのラチェット歯に噛み合う。これにより、先と同様の作用によって、ラチェット部材の頭部は、プッシュバーの移動中の方向と反対方向への移動を許容するように逃げることができないために、プッシュバーの反対方向への移動は禁止される。こうして、プッシュバーは、そのラチェット歯がラチェット部材のラチェット歯を完全に通過するまで、移動中の方向にのみ移動する。前記ラチェット部材が板バネ部を備えているために、スプリングを要することなく、ラチェット部材のみで、プッシュバーの移動方向を規制することができる。このラチェット部材は、スプリングを要することがないために、使用後、前記グリップケースの中に収めたままで処分することができる。
【００１３】
【発明の実施の形態】
以下、図面を用いて本発明の実施の形態を説明する。尚、以下の実施形態は本発明を限定するものではない。
【００１４】
図１は本発明に係る外科用操作ハンドル構造を使用した外科用器具としてのクリップ付与装置の全体斜視図である。この外科用クリップ付与装置１０は、全体として、ハンドル部１２と、ハンドル部１２から先端側に延びるシャフト部１４と、シャフト部１４の先端部近傍に配置されるジョー１８とを有している。シャフト部１４内には、複数のクリップが収容されており、さらに、ハンドル部１２の操作に応じて軸方向に移動可能となったプッシュロッドと、プッシュロッドに連結され、ジョー１８のジョー要素を近接位置に移動させるためのジョー閉鎖部材と、ジョー１８のジョー要素間にクリップを１個ずつ順番に供給するクリップ供給機構とが収容される。
【００１５】
図１に示したように、ハンドル部１２は、グリップ右ケース１２１とグリップ左ケース１２２とを有しており、これらのグリップ右ケース１２１とグリップ左ケース１２２とで、グリップケース１２４を構成して、その内部にケース内部空間を画成している。グリップケース１２４には、操作者が握るのに適した握り部１２４ａが形成される。図２に示したように、ケース内部空間には、トリガ１２３が軸着されており、トリガ１２３のピン貫通孔１２３ａをグリップケース１２４のケース内部空間に突設されたピン１２４ｂが貫通している。トリガ１２３の下端部は、グリップケース１２４から突出して、握り部１２４ａに対して接近・離反可能に揺動運動するようになっている。握り部１２４ａを握った操作者は、トリガ１２３を引く操作によって、クリップをジョー１８にセットし、クリップを締付けて、身体組織の所望部位に付与する一連の動作を行うことができる。
【００１６】
図２に示したように、トリガ１２３の上端部は、前記シャフト部１４と同一線上に配置されるプッシュバー１２６に形成された突起１２６ａに係合している。プッシュバー１２６は、ケース内部空間において、シャフト部１４の軸方向に移動可能に配設されており、トリガ１２３の揺動運動が、プッシュバー１２６のシャフト部１４軸方向の移動に変換される。図３に示したように、プッシュバー１２６の後端部には、下方に膨出した部分が形成されており、この膨出部分の下面にラチェット歯１２６ｂが形成されている。このラチェット歯１２６ｂの各歯は、直角二等辺三角形の輪郭をしている。ラチェット歯１２６ｂが形成された膨出部分の前側と後側は、逃げ部１２６ｃ、１２６ｄとなっている。プッシュバー１２６の先端部は軸部１２６ｅが伸びており、軸部１２６ｅの先端には、プッシュロッドの後端と相対回転可能に連結する受部１２６ｆが形成されている。
【００１７】
さらに、ケース内部空間には、ラチェット部材１２８が軸着されている。即ち、ラチェット部材１２８は、その頭部の中央部にピン貫通孔１２８ａが形成されており、該ピン貫通孔１２８ａをグリップケース１２４のケース内部空間に突設されたピン１２４ｃが貫通している。そして、そのラチェット部材１２８の頭部の先端は、図４に示したように、山形状に形成されて、その山形の両斜面にそれぞれラチェット歯１２８ｂ、１２８ｃが形成されている。これらのラチェット歯１２８ｂ、１２８ｃは、前記プッシュバー１２６のラチェット歯１２６ｂと噛合い可能となるべく、直角二等辺三角形の輪郭をしている。ラチェット部材１２８の頭部からは、反先端方向に可撓性を有する薄板状の板バネ部１２８ｄが形成されている。ラチェット部材１２８の板バネ部１２８ｄは、グリップケース１２４のケース内部空間に形成されたゲート（規制部）１２４ｄ内を通過しており、このゲート１２４ｄ内に板バネ部１２８ｄが存在する範囲で、ラチェット部材１２８は前記ピン１２４ｃを中心として回動可能となっている。ゲート１２４ｄは、ラチェット部材１２８がプッシュバー１２６に対して垂直となった中立位置にあるときに、板バネ部１２８ｄが中間位置を通過するように、ラチェット部材１２８に対して左右対称に形成される（図２はやや斜めから見た図となっているため非対称に見えている）。
【００１８】
グリップケース１２４の先端開口には、回転コマ（筒体）１３０が回転可能に配設される。回転コマ１３０は、図５に示すように、ケース内部空間に配置される基部１３０ａと、回転コマ１３０の基部１３０ａよりも先端側にあって、グリップケース１２４の外部に配置されるネジ部（外部連結部）１３０ｃと、基部１３０ａとネジ部１３０ｃとの間に形成される脆弱部１３０ｅとを有している。脆弱部１３０ｅは、任意の構成とすることができるが、この実施形態のものは、周方向に複数の開口１３０ｇを設けて、他の部分よりも脆弱に構成している。
【００１９】
また、基部１３０ａには、外径方向に伸びる複数のリブ１３０ｂが形成されており、これらのリブ１３０ｂの間に、前記グリップ右ケース１２１とグリップ左ケース１２２のケース面にそれぞれ切り起こしにより形成された弾性片１２１ａと、１２２ａ（１２２ａのみ図１に示す）とが噛み合うことが可能となっている。
【００２０】
さらには、基部１３０ａの前面側には、周方向に離間して、複数の治具挿入孔１３０ｆが形成されている。この実施形態では、治具挿入孔１３０ｆは、基部１３０ａの全長に渡って形成されている。
【００２１】
前記プッシュバー１２６の軸部１２６ｅの外周には、リターンスプリング１３２が巻回されており、リターンスプリング１３２の先端は、前記回転コマ１３０の内部に形成された段部１３０ｄ（図５（ｂ））に当接している。また、リターンスプリング１３２の後端は、プッシュバー１２６の段部１２６ｇに当接しており、プッシュバー１２６は、リターンスプリング１３２によって、常時後退する方向に付勢されている。また、前記プッシュバー１２６の受部１２６ｆ及び軸部１２６ｅの先端は、プッシュバー１２６をリターンスプリング１３２の付勢力に抗して前進させると、前記回転コマ１３０を挿通してハンドル部１２から突出可能となっている。
【００２２】
以上のハンドル部１２を構成する部品は、リターンスプリング１３２が金属製となっているのみであり、残りの部品、グリップ右ケース１２１、グリップ左ケース１２２、トリガ１２３、プッシュバー１２６、ラチェット部材１２８、回転コマ１３０はすべてプラスチック製となっている。好ましくは、これらプラスチック製部品は、すべて同じプラスチック材料から形成されていると、後述のような再利用処理を行う場合に、より有利となる。
【００２３】
シャフト部１４は、回転ノブ１４２とガイドパイプ１４４から構成される。回転コマ１３０のネジ部１３０ｃに、回転ノブ１４２の内周面に形成されたネジ部１４２ｂが螺合される。また、ガイドパイプ１４４の後端に形成された鍔部１４４ａが、回転コマ１３０の先端面と、回転ノブ１４２の内周面に形成された段部１４２ａとの間に挟着される。これで、回転ノブ１４２、ガイドパイプ１４４及び回転コマ１３０は一体的に結合され、操作者が、回転ノブ１４２を回転することにより、ガイドパイプ１４４及び回転コマ１３０が一体に回転し、ガイドパイプ１４４内に配設される部品も一体に回転する。よって、操作者がクリップを付与する向きを回転させたい場合には、回転ノブ１４２を回転することにより、適宜調整することができる。
【００２４】
プッシュバー１２６の受部１２６ｆは、シャフト部１４内を伸びるプッシュロッドに連結される。プッシュロッドには、クリップ供給機構の一部の部品である係止部材が連結されており、該係止部材は、前記ジョー１８のジョー要素間にクリップを押し出すクリップキャリーに係止されている。また、プッシュロッドの前端には、ジョー１８のジョー要素同士を閉鎖するジョー閉鎖部材が連結されている。クリップ付与の一連の動作は、プッシュロッドが前進すると、プッシュロッドの前進と共にクリップ供給機構が作動し始め、ジョー１８の一対のジョー要素の間にクリップを押し込み、さらにプッシュロッドの前進により、係止部材がクリップキャリーからの係止が外れてクリップキャリーが後退し、一方、さらに、ジョー閉鎖部材が前進して一対のジョー要素を接近位置へと移動させるので、クリップが締付けられて、クリップが所望の身体組織に付与され、その後、プッシュロッドが後退すると、係止部材がプッシュロッドと共に後退して、クリップキャリーに再び係止する、という流れで行われる。
【００２５】
以上のように構成されるハンドル部１２の作用を説明する。操作者が前記握り部１２４ａを握り、トリガ１２３を引いて握り部１２４ａに接近させると、トリガ１２３の上端がプッシュバー１２６の突起１２６ａに係合していることから、プッシュバー１２６は前進、即ち、シャフト部１４の方へと移動する。これにより、ラチェット部材１２８の先端頭部は、プッシュバー１２６のラチェット歯１２６ｂに当たり、図６に示すように、その先端頭部が前側、即ちシャフト部１４側へと押し倒されるようにピン１２４ｃを中心として回転する。そして、ラチェット歯１２８ｂがプッシュバー１２６のラチェット歯１２６ｂと噛合う。同時に、板バネ部１２８ｄはゲート１２４ｄの図６中右端にある柱に当たりつつ、図６中、右に凸となるように曲げられる。この板バネ部１２８ｄのバネ力によって、ラチェット部材１２８の先端頭部は、プッシュバー１２６のラチェット歯１２６ｂの方へ押し付けられ、特に図６の右上方へと押し付けられる。プッシュバー１２６の前進を続けると、ラチェット部材１２８の先端頭部が、図６の右上方と左下方との間を揺動して、そのラチェット歯１２８ｂがラチェット歯１２６ｂから適宜逃げながら、ラチェット歯１２６ｂに対して相対移動する。トリガ１２３の揺動運動を停止して、プッシュバー１２６の前進運動が停止すると、ラチェット部材１２８の先端頭部が右上方に向けてラチェット歯１２６ｂの方へと押圧されて、ラチェット歯１２８ｂとラチェット歯１２６ｂとの間の噛み合いが確保され、プッシュバー１２６の停止が保持される。このとき、プッシュバー１２６には、リターンスプリング１３２の付勢力によって、プッシュバー１２６を後退させようとする力が作用するが、ラチェット歯１２８ｂとラチェット歯１２６ｂとが噛み合っており、ラチェット歯１２８ｂは、プッシュバー１２６の後退を許容する方向に逃げることができないために、プッシュバー１２６の後退は禁止される。
【００２６】
トリガ１２３をさらに引いて、プッシュバー１２６がさらに前進すると、図７に示すように、ラチェット部材１２８のラチェット歯１２８ｂとプッシュバー１２６のラチェット歯１２６ｂとの噛み合いがはずれ、ラチェット部材１２８の先端頭部は、逃げ部１２６ｄの所に入る。こうして、プッシュバー１２６は、ラチェット部材１２８から解放される。ラチェット部材１２８は直線に戻る。
【００２７】
トリガ１２３への力を解除すると、リターンスプリング１３２の付勢力によって、プッシュバー１２６は後退する。このとき、ラチェット部材１２８の先端頭部は、プッシュバー１２６のラチェット歯１２６ｂに当たり、図８に示すように、その先端頭部が後側、即ち反シャフト１４側へと押し倒されるようにピン１２４ｃを中心として回転する。そして、ラチェット歯１２８ｃがプッシュバー１２６のラチェット歯１２６ｂと噛合う。同時に板バネ部１２８ｄはゲート１２４ｄの図８中左端にある柱に当たりつつ、図８中、左に凸となるように曲げられる。この板バネ部１２８ｄのバネ力によって、ラチェット部材１２８の先端頭部は、プッシュバー１２６のラチェット歯１２６ｂの方へ押し付けられ、特に図８の左上方へと押し付けられる。プッシュバー１２６の後退を続けると、ラチェット部材１２８の先端頭部が、図８の左上方と右下方との間を揺動して、そのラチェット歯１２８ｃがラチェット歯１２６ｂから適宜逃げながら、ラチェット歯１２６ｂに対して相対移動する。仮に、図８のような途中状態で、再びトリガ１２３を引いて、プッシュバー１２６を前進させようとすると、ラチェット歯１２８ｃとラチェット歯１２６ｂとが噛み合っており、ラチェット歯１２８ｃは、プッシュバー１２６の前進を許容する方向に逃げることができないために、プッシュバー１２６の前進は禁止される。
【００２８】
そして、プッシュバー１２６がさらに後退すると、図２の状態に戻り、ラチェット部材１２８のラチェット歯１２８ｃとプッシュバー１２６のラチェット歯１２６ｂとの噛み合いがはずれ、ラチェット部材１２８の先端頭部は、逃げ部１２６ｃの所に入る。こうして、プッシュバー１２６は、ラチェット部材１２８から解放される。
【００２９】
以上のプッシュバー１２６とラチェット部材１２８との作用によって、トリガ１２３の完全な引き動作と完全な解除動作とからなる一サイクルの動作が確実に行われるようにし、中途半端な動作は阻止し、クリップの付与と次のクリップの準備とが確実に行われるようにしている。
【００３０】
クリップを使い切ると、処分を行う必要がある。次に、このハンドル部１２の処分手順について説明する。まず、シャフト部１４の回転ノブ１４２と、ハンドル部１２の回転コマ１３０との螺合を外して、シャフト部１４をハンドル部１２から分離する。
【００３１】
次に、前記グリップ右ケース１２１とグリップ左ケース１２２のケース面にそれぞれ切り起こしにより形成された弾性片１２１ａ、１２２ａをケース内方向へ押して、弾性片１２１ａ、１２２ａをリブ１３０ｂに係合すると、基部１３０ａがグリップケース１２４に対して回転することができなくなる。この状態で、ネジ部１３０ｃをペンチなどを用いて、基部１３０ａに対して捻ると、脆弱部１３０ｂにおいて回転コマ１３０が破断して（図３（ｃ）参照）、ケース内部空間内にあるリターンスプリング１３２が取り出される（図１０）。こうして、唯一の金属製部品であるリターンスプリング１３２を取り出すことができ、残りは、プラスチック製部品であるため、金属製部品とプラスチック製部品とを分別して処分することができる。
【００３２】
また、任意には、図１１に示す治具１３４を用いて回転コマ１３０の回転を止めることもできる。治具１３４は、リング状の本体１３４ａと、本体１３４ａから前記治具挿入孔１３０ｆに対応して形成された突起１３４ｂとが形成されている。リング状の本体１３４ａの内側には、前記回転コマ１３０のネジ部１３０ｃが通過可能となっている。また、グリップケース１２４の先端開口において、グリップ右ケース１２１とグリップ左ケース１２２との間には隙間が形成されており、この隙間がスリット１２４ｅ、１２４ｅとなっており、スリット１２４ｅ、１２４ｅは、治具挿入孔１３０ｆと整合したときに、治具挿入孔１３０ｆと連通するような間隔と数となっている。
【００３３】
分解するときには、回転ノブ１４２を外して、シャフト部１４とハンドル部１２とを分解した後、図１２に示すように、治具１３４の本体１３４ａに回転コマ１３０のネジ部１３０ｃを挿通して、突起１３４ｂを前記スリット１２４ｅ、１２４ｅに通して治具挿入孔１３０ｆに挿入する。これにより、回転コマ１３０の基部１３０ａがグリップケース１２４に対して回転することができなくなる。この状態で、ネジ部１３０ｃをペンチなどを用いて、基部１３０ａに対して捻ると、脆弱部１３０ｂにおいて回転コマ１３０が破断して、ケース内部空間内にあるリターンスプリング１３２が取り出される。
【００３４】
金属製のリターンスプリング１３２は、検査後、オートクレーブによって高温圧殺菌を行って再使用することもできる。また、残りのプラスチック製の部品についても、滅菌処理した後、再使用することもできる。例えば、特開平９−９９０９１９号公報に記載された処理方法によれば、アミノ基を有する生科学物質の付着するプラスチック製部品と、オキシラン環を有するエポキシ化合物を混合することによって、前記アミノ基によるエポキシ化合物のオキシラン環の開環反応を生じさせ、プラスチック製部品とエポキシ硬化樹脂との固結物を生成させて、滅菌を行った後、再利用を行うことが可能である。
【００３５】
以上の実施形態では、クリップ付与装置を例にとって説明したが、これに限るものではなく、例えば、鉗子などにも使用することができる。
【００３６】
【発明の効果】
以上説明したように本発明によれば、使用後は、筒体の外部連結部を基部に対して捻って、筒体を破断させることにより、通常、金属製であるリターンスプリングをグリップケースから簡単に取り出すことができ、リターンスプリングと他の部品とを分別処理することができ、廃棄処理のためのコストを低減させることができる。また、部品を再利用することも可能になり、再利用した場合には環境に考慮した製品とすることができる。
【図面の簡単な説明】
【図１】本発明の外科用操作ハンドル構造を使用した外科用器具としてのクリップ付与装置の全体斜視図である。
【図２】ハンドル部のグリップ左ケースを取り除いて見た内部構成を表す図である。
【図３】ハンドル部のプッシュバーの側面図である。
【図４】ハンドル部のラチェット部材の側面図である。
【図５】ハンドル部の回転コマの（ａ）は斜視図、（ｂ）は半縦断面図、（ｃ）は破断された状態の側面図である。
【図６】（ａ）はハンドル部のグリップ左ケースを取り除いて見たトリガを引いている途中の内部構成を表す図であり、（ｂ）はプッシュバーのラチェット歯とラチェット部材のラチェット歯の拡大図である。
【図７】ハンドル部のグリップ左ケースを取り除いて見たトリガを完全に引いた状態を表す内部構成を表す図である。
【図８】（ａ）はハンドル部のグリップ左ケースを取り除いて見たトリガを戻す途中の内部構成を表す図であり、（ｂ）はプッシュバーのラチェット歯とラチェット部材のラチェット歯の拡大図である。
【図９】回転コマと、シャフト部の縦断面図である。
【図１０】ハンドル部を分解したときの図である。
【図１１】治具の斜視図である。
【図１２】治具を用いた場合の斜視図である。
【符号の説明】
１２  ハンドル部
１４  シャフト部
１２１ａ、１２２ａ  弾性片
１２３  トリガ
１２４  グリップケース
１２４ｄ  ゲート（規制部）
１２６  プッシュバー
１２６ｂ  ラチェット歯
１２８  ラチェット部材
１２８ｂ、１２８ｃ  ラチェット歯
１２８ｄ  板バネ部
１３０  回転コマ（筒体）
１３０ａ  基部
１３０ｃ  ネジ部（外部連結部）
１３０ｅ  脆弱部
１３０ｆ  治具挿入孔
１３２  リターンスプリング
【図１】
0004632582.tif 000002
【図２】
0004632582.tif 000003
【図３】
0004632582.tif 000004
【図４】
0004632582.tif 000005
【図５】
0004632582.tif 000006
【図６】
0004632582.tif 000007
【図７】
0004632582.tif 000008
【図８】
0004632582.tif 000009
【図９】
0004632582.tif 000010
【図１０】
0004632582.tif 000011
【図１１】
0004632582.tif 000012
【図１２】
0004632582.tif 000013